(57)【要約】【課題】コネクタを嵌合した電子部品モジュールを電気接続箱のケース本体に収容する工程でコネクタの嵌合を検知する。【解決手段】電気接続箱のケース本体の上下開口の収容部内に上方から電子部品モジュールが挿入固定され、該電子部品モジュールに収容された回路基板の下端のコネクタに電線端末に接続された相手方のコネクタが嵌合され、前記電子部品モジュールのハウジングの外側壁の下端に、前記コネクタの電線接続側へ突出する延長壁を備え、かつ、前記コネクタの電線接続側枠に接触する嵌合検知部を有すると共に該コネクタが本嵌合位置にあると前記延長壁と係止できるリテーナを備えている。【選択図】図５
2019009863.tif 000002
【特許請求の範囲】
【請求項１】
電気接続箱のケース本体の上下開口の収容部内に上方から電子部品モジュールが挿入固定され、該電子部品モジュールに収容された回路基板の下端のコネクタに電線端末に接続された相手方のコネクタが嵌合され、
前記電子部品モジュールのハウジングの外側壁の下端に、前記コネクタの電線接続側へ突出する延長壁を備え、かつ、
前記コネクタの電線接続側枠に接触する嵌合検知部を有すると共に該コネクタが本嵌合位置にあると前記延長壁と係止できるリテーナを備えていることを特徴とする車載用の電気接続箱。
【請求項２】
前記電子部品モジュールのハウジングの前記外側壁にロック部を備え、該ロック部と結合する被ロック部を前記ケース本体の収容部の内面に備え、
前記リテーナは前記コネクタと対応する位置に各コネクタの電線接続側枠に接触する嵌合検知部を段状に備え、該嵌合検知部の突出方向と直交方向の両側外面に係止部を設け、該係止部と係止する被係止部を前記延長壁の内面に設け、前記コネクタが半嵌合であると前記係止部と被係止部は係止出来ない構成としている請求項１に記載の車載用の電気接続箱。
【請求項３】
前記電気接続箱はリレーボックスであり、該リレーボックスのケース本体内の収容部に挿入する前記電子部品モジュールはリレーモジュールからなる請求項１または請求項２に記載の車載用の電気接続箱。
【発明の詳細な説明】
【技術分野】
【０００１】
本発明は車載用の電気接続箱に関し、詳しくは、車両に搭載するリレーボックス等の電気接続箱のケース本体に、下端に電線と接続したコネクタを嵌合していると共に内部に回路基板を収容しているリレーモジュール等の電子部品モジュールを上方から挿入して組み立てている電気接続箱において、前記コネクタが半嵌合であると検知できると共に該コネクタおよび回路基板の脱落を防止するものである。
【背景技術】
【０００２】
この種のリレーボックス等の電気接続箱に関して、特開２０１５−８５５６号公報において、図９（Ａ）（Ｂ）に示すように、リレーボックス１００にリレーモジュール１０１を嵌合する際に、リレーモジュール１０１の底面に嵌合するコネクタ１１０が半嵌合状態であると完全嵌合に矯正するために、リレーボックス１００の側壁内面から張出部１２０を突設し、該張出部１２０を半嵌合位置のコネクタ１１０に当接させて、完全に嵌合させるようにしている。
【先行技術文献】
【特許文献】
【０００３】
【特許文献１】特開２０１５−８５５６号公報
【発明の概要】
【発明が解決しようとする課題】
【０００４】
特許文献１に開示された電気接続箱では、リレーボックスに上方から挿入するリレーモジュールの底面に嵌合したコネクタが半嵌合状態であると、張出部に当接してコネクタが完全嵌合位置に押し上げられる構成とされている。しかしながら、図１０に示すようにコネクタに接続した電線２００が張出部１２０とコネクタ１１０の間に噛み込みやすく、張出部１２０の上面を傾斜面としても噛み込みを確実に無くすことは困難である。
このように、電線の噛み込みが発生すると、リレーモジュールは所定位置より上方に位置ズレし、リレーモジュールとリレーボックスとに設けたロック結合部が完全にロックできず、リレーボックスとリレーモジュールとの組付作業に時間がかかる問題がある。
さらに、リレーモジュール１０１のハウジング内に収容している回路基板がリレーモジュールの上方からの押し込みで下方へ脱落する恐れもある。
【０００５】
本発明は前記問題に鑑みてなされたもので、コネクタが本嵌合か半嵌合かを検知でき、かつ、リレーモジュール等の電子部品モジュール内の回路基板の脱落を防止できるようにした車載用の電気接続箱を提供することを課題としている。
【課題を解決するための手段】
【０００６】
前記課題を解決するため、本発明は、電気接続箱のケース本体の上下開口の収容部内に上方から電子部品モジュールが挿入固定され、該電子部品モジュールに収容された回路基板の下端のコネクタに電線端末に接続された相手方のコネクタが嵌合され、
前記電子部品モジュールのハウジングの外側壁の下端に、前記コネクタの電線接続側へ突出する延長壁を備え、かつ、
前記コネクタの電線接続側枠に接触する嵌合検知部を有すると共に該コネクタが本嵌合位置にあると前記延長壁と係止できるリテーナを備えていることを特徴とする電気接続箱を提供している。
【０００７】
前記電子部品モジュールのハウジングの前記外側壁にロック部を備え、該ロック部と結合する被ロック部を前記ケース本体の収容部の内面に備え、
前記リテーナは前記コネクタと対応する位置に各コネクタの電線接続側枠に接触する嵌合検知部を段状に備え、該嵌合検知部の突出方向と直交方向の両側外面に係止部を設け、該係止部と係止する被係止部を前記延長壁の内面に設け、前記コネクタが半嵌合であると前記係止部と被係止部は係止出来ない構成としている。
【０００８】
前記のように、電子部品モジュールに電線を接続したコネクタを嵌合した状態で、リテーナを取り付けると、コネクタが完全に半嵌合であると、ハウジングの延長壁に係止できず、コネクタが半嵌合であることを作業員は知ることができる。一方、コネクタが完全に嵌合された本嵌合であるとハウジングの延長壁に固定でき、リテーナはコネクタの下面を支持した状態でハウジングに固定される。その結果、該電子部品モジュールを電気接続箱のケース本体に上方から押し込む際に、ケース本体内の回路基板が下方へ落下しようとしても、回路基板に設けた基板コネクタと嵌合している相手方のコネクタがリテーナで下支えされているため、回路基板の落下を防止できる。
さらに、コネクタから下方へのびる電線が広がるのを延長壁により規制でき、電線が撓んで隙間に噛み込むのを防止できる。その結果、電子部品モジュールを電気接続箱の収容部内の所定位置までスムーズに挿入して固定することができる。
【０００９】
前記電気接続箱はリレーボックスであり、該リレーボックスのケース本体内の収容部に挿入する前記電子部品モジュールはリレーモジュールからなる場合に、特に好適に用いられる。
【発明の効果】
【００１０】
本発明の車載用の電気接続箱では、該電気接続箱のケース本体の収容部に挿入するリレーモジュール等の電子部品モジュールにコネクタを嵌合している場合、嵌合検知部を備えたリテーナを取り付けることにより、コネクタが半嵌合であれば検知できるものとしている。また、コネクタが完全に嵌合している本嵌合であれば、リテーナが電子部品モジュールに係止して固定できるため、リテーナによりコネクタを下支えできる。よって、リテーナで支持されるコネクタと嵌合する基板型コネクタを設けている回路基板自体が下方へ落下するのを防止できる。さらに、電気部品モジュールのハウジングの外側壁に下方へ伸びる延長壁を設けているため、コネクタに接続した電線の広がりを防止でき、電気接続箱の内部での電線の噛み込み発生を防止できる。
【図面の簡単な説明】
【００１１】
【図１】本発明の実施形態を示し、（Ａ）はリレーボックスの概略分解斜視図、（Ｂ）はリレーモジュールと嵌合する電線端末のコネクタを示す斜視図である。
【図２】リレーボックスのケース本体にリレーモジュールを収容した状態の断面図である。
【図３】（Ａ）はリレーモジュールに嵌合したコネクタが本嵌合された状態を示す図面、（Ｂ）はコネクタが半嵌合の状態を示す図面である。
【図４】（Ａ）はリレーモジュールの斜視図、（Ｂ）はリレーモジュールの下面図である。
【図５】（Ａ）はコネクタを嵌合したリレーモジュールとリテーナの分解斜視図である。
【図６】前記リテーナを示し、（Ａ）は背面図、（Ｂ）は側面図である。
【図７】（Ａ）はリレーモジュールにリテーナを組みつけた状態の斜視図、（Ｂ）はコネクタとリテーナの関係を示す斜視図ある。
【図８】（Ａ）はリレーボックス内にコネクタを本嵌合したリレーモジュールを収容した状態を示す概略断面図、（Ｂ）はコネクタが半嵌合した状態の概略断面図、（Ｃ）と（Ｄ）はコネクタにリテーナが接触している状態の概略説明図である。
【図９】（Ａ）、（Ｂ）は従来例を示す概略断面図である。
【図１０】前記従来例の問題点を示す概略断面図である。
【発明を実施するための形態】
【００１２】
以下、本発明を図面に示す実施形態を参照して詳述する。
図１乃至図８に本発明の実施形態を示す。
実施形態の車載用の電気接続箱は自動車に搭載されるリレーボックス１であり、該リレーボックス１は上下開口のケース本体２内に上方からヒューズブロック４を挿入して収容した後、ケース本体２の下部にロアカバー５を組みつけている。ついで、リレーモジュール３からなる電子部品モジュールを上方からケース本体２内に挿入して収容し、その後、上部にアッパーカバー６を結合して組み立てている。樹脂成形品からなるケース本体２は外側壁２ａの内部をリレーモジュール３の収容部２ｂとヒューズブロック４の収容部２ｃに仕切壁２ｗで仕切っている。
【００１３】
リレーモジュール３は、収容部２ｂに収容する縦長な直方体形状のハウジング１０内に、基板リレーを実装した回路基板１１を収納しており、該回路基板１１は基板リレーに接続する３つの基板コネクタ１２（１２Ａ、１２Ｂ、１２Ｃ）を図１（Ｂ）中で下端に並設している。これら基板コネクタ１２に電線３０を端末に接続した３つのコネクタ１５（１５Ａ、１５Ｂ、１５Ｃ）をそれぞれ嵌合し、回路基板１１を介して基板リレーと電線３０を接続している。
【００１４】
ハウジング１０の外側壁１０ａにロック枠１０ｒを設けると共に収容部２ｂを囲む仕切壁２ｗおよび外側壁２ａの内面にロック爪（図示せず）を設けている。ハウジング１０が収容部２ｂ内の所定位置まで挿入されると、ロック爪がロック枠１０ｒに係止し、リレーモジュール３は収容部２ｂ内に固定されるものとしている。其の際、リレーモジュール３の下面に取り付けるコネクタ１５に接続する電線３０が収容部２ｂ内で噛み込みが発生し、ハウジング１０が所定位置まで挿入せずにロック結合できないと、電線３０が噛み込んでいる等の不具合が発生していることが解るようにしている。
【００１５】
リレーモジュール３のハウジング１０内に収容する回路基板１１の前記３つの基板コネクタ１２はハウジング１０の底壁１０ｂの長方形状の開口１０ｈの内部に間隔をあけて並ベて開口１０ｈに露出させている。かつ、ハウジング１０の図４中の上面となる側壁１０ｅには、３つの基板コネクタ１２に対応する位置に円弧状の切欠１０ｆを設け、開口１０ｈと連続させている。各切欠１０ｆにコネクタ１５のロック１５ｒを位置させ、コネクタ１５の着脱が容易に行えるようにしている。
【００１６】
前記リレーモジュール３のハウジング１０の直方体形状の外側壁１０ａには、図４中で上面側を除く下面側および左右両側に底壁１０ｂよりコネクタ接続側へ突出した延長壁１８を設け、延長壁１８で窪んだ底壁１０ｂに露出するコネクタ嵌合部を囲んでいる。前記コネクタ１５を基板コネクタ１２に嵌合した状態で、該延長壁１８内にリテーナ２０を挿入してコネクタ１５が本嵌合か半嵌合かを検知できる嵌合検知部を有すると共に、コネクタ１５をリテーナ２０で下方から保持することで、コネクタ１５と接続した回路基板１１の脱落を保持できるようにしている。
【００１７】
リテーナ２０は図５および図６に示すように、細長い直方体形状で、長さ方向の一面（図５中の背面）に基板コネクタ１２に嵌合する３つのコネクタ１５の下面枠部１５ｆにそれぞれ接触する嵌合検知部２０ａ、２０ｂ、２０ｃを間隔を開けて突設している。これら嵌合検知部２０ａ〜２０ｃを図８（Ｃ）に示すように基板コネクタ１２に嵌合するコネクタ１５の下面枠部１５ｆに接触させるものとしている。
【００１８】
該リテーナ２０の長さ方向の両端２０ｄ、２０ｅは左右の延長壁１８ａと１８ｂと接触させた状態で挟まれ、該左右両端面に係止爪２１を設け、対向する延長壁１８ａ、１８ｂの内面に係止凹部１８ｖを設けている。リテーナ２０の係止爪２１は、図３（Ａ）および図８（Ａ）に示すようにコネクタ１５が基板コネクタ１２に完全に嵌合した本嵌合状態であると係止爪２１は延長壁１８の係止凹部１８ｖに係止して、リテーナ２０をハウジング１０に固定する。かつ、コネクタ１５がハウジング１０に固定されるリテーナ２０で下方より支持されることで、コネクタ１５と嵌合した基板コネクタ１２を設けた回路基板１１がハウジング１０より下方へ脱落することも防止できるようにしている。
一方、コネクタ１５が半嵌合状態であると、係止爪２１は係止凹部１８ｖに係止出来ず、コネクタ１５が完全に嵌合されていない半嵌合であることが作業者に解るようにしている。
【００１９】
前記リレーボックス１の組み立ては、図１（Ｂ）に示すように、回路基板１１を収容したリレーモジュール３の下面にコネクタ１５を嵌合する。この状態でリレーボックス１のケース本体２に上方からリレーモジュール３を挿入すると、ロアカバー５により下方からコネクタ１５の嵌合チェックができないため、ケース本体２の収容部２ｂに挿入前に図５に示すように、リレーモジュール３のハウジング１０の下部にリテーナ２０を挿入する。
【００２０】
その際、各コネクタ１５から下方に電線３０が引き出されており、リレーモジュール３のコネクタ嵌合部にコネクタ１５が完全に嵌合されている本嵌合状態であることを確認した後に、リレーモジュール３をケース本体２内に挿入する必要がある。そのため、図５に示すように、リテーナ２０をコネクタ１５を嵌合したハウジング１０の下部に挿入する。
【００２１】
コネクタ１５（１５Ａ〜１５Ｃ）が半嵌合ではなく、本嵌合であると、図３（Ａ）に示すように、寸法Ｌ１でハウジング１０の下端の底壁１０ｂより突出していると、リテーナ２０の嵌合検知部２０ａ〜２０ｃは係止爪２１が延長壁１８の係止凹部１８ｖに係止できる。よって、リテーナ２０はハウジング１０に固定され、コネクタ１５を下支えし、該コネクタ１５と嵌合する基板コネクタ１２を介して回路基板１１の脱落を防止できる。かつ、コネクタ１５から下方にのびる電線３０は延長壁１８で囲まれるため、電線が広がって隙間に電線３０の噛み込み発生も防止できる。
【００２２】
一方、３つのコネクタ１５Ａ〜１５Ｃのいずれかが半嵌合で、図３（Ｂ）に示すように、寸法Ｌ１より大きな寸法Ｌ２でハウジング１０の底壁１０ｂより突出していると、リテーナ２０は図８（Ｂ）に示すように係止爪２１は係止凹部１８ｖに係止できず、コネクタ１５が半嵌合であることを検知できる。よって、ケース本体２の収容部２ｂに挿入する前にコネクタ１５を完全に嵌合しなおすことが出来る。
【００２３】
前記実施形態はリレーボックスのケース本体に設けた収容部に、電線をコネクタ接続したリレーモジュール３を挿入する場合に採用しているが、該形態に限定されず、機器にコネクタ接続した電子部品のコネクタ嵌合状態を検知する場合および検知すると共に該電子部品に収容した回路基板を支える場合にも好適に用いられるものである。
【符号の説明】
【００２４】
１  リレーボックス
２  ケース本体
２ａ  外側壁
２ｂ、２ｃ  収容部
２ｗ  仕切壁
３  リレーモジュール
４  ヒューズブロック
５  ロアカバー  
６  アッパーカバー
１０  ハウジング
１１  回路基板
１２  基板コネクタ
１５（１５Ａ、１５Ｂ、１５Ｃ）  コネクタ
１８  延長壁
１８ｖ  係止凹部
２０  リテーナ
２０ａ〜２０ｃ  嵌合検知部
２１  係止爪
３０  電線
【図１】
2019009863.tif 000003
【図２】
2019009863.tif 000004
【図３】
2019009863.tif 000005
【図４】
2019009863.tif 000006
【図５】
2019009863.tif 000007
【図６】
2019009863.tif 000008
【図７】
2019009863.tif 000009
【図８】
2019009863.tif 000010
【図９】
2019009863.tif 000011
【図１０】
2019009863.tif 000012